(57)【特許請求の範囲】
【請求項１】
水平軸回りに回転する複数枚の回転刃と、この回転刃に対向する固定刃との摺り合わせで芝生を刈る芝刈装置において、前記回転刃と前記固定刃とを互いに接触する方向に付勢する付勢機構を備え、前記複数枚の回転刃を、回転方向に平行に配置するのではなく、隣り合う前記回転刃の長手方向一端部同士及び他端部同士を交互に当接若しくは近接させて、前記回転方向に配設する複数枚の回転刃を折返し状に配置して、この回転刃と前記固定刃との摺り合わせ部位がこの回転刃の回転によって一端部から他端部へと移り更に隣り合う次の回転刃の他端部から一端部へと移るように構成し、前記複数の回転刃の隣り合う前記回転刃のうち回転方向後方側の回転刃にして回転方向前方側端部に、回転方向前方側の回転刃にして前記回転方向後方側の回転刃との当接若しくは近接する位置より回転方向前方側に突出し、前記固定刃と前記回転方向後方側の回転刃の前記当接若しくは近接する位置の刃先部よりも先行接触して、前記固定刃と摺り合う対象を前記回転方向前方側の回転刃から前記回転方向後方側の回転刃へと移行させる摺合対象移行部を設けたことを特徴とする芝刈装置。
【請求項２】
前記摺合対象移行部の刃先部の突出端部側に、前記固定刃に対する高さ位置が前記回転方向前方側の回転刃の前記当接若しくは近接する位置の刃先部より低く、前記固定刃を誘い込む固定刃誘込領域を設け、この固定刃誘込領域の内方側に、前記固定刃に対する高さ位置が前記回転方向前方側の回転刃の前記当接若しくは近接する位置の刃先部より高く、前記固定刃誘込部に誘い込んだ前記固定刃と前記回転方向後方側の回転刃の前記当接若しくは近接する位置の刃先部よりも先行接触する固定刃接触領域を設けたことを特徴とする請求項１記載の芝刈装置。
【請求項３】
前記摺合対象移行部の刃先部に、この摺合対象移行部の刃先部の前記固定刃に対する高さ位置が、突出端部側から内方側に向かって、前記回転方向後方側の回転刃の前記当接若しくは近接する位置より内方側における刃先部の前記固定刃に対する高さ位置と略同じ高さ位置まで徐々に高くなる傾斜部を設け、この傾斜部を、前記固定刃が前記回転方向前方側の回転刃にして前記当接若しくは近接する位置に至る前に、前記固定刃を前記回転方向前方側の回転刃の前記当接若しくは近接する位置の刃先部より高い位置まで摺り上げる傾斜度合いに設定したことを特徴とする請求項１，２のいずれか１項に記載の芝刈装置。
【請求項４】
前記摺合対象移行部において固定刃と先行接触を開始した前記当接若しくは近接する位置より外方側の刃先部から前記固定刃の刃先部との摺り合わせによる芝生の切断を開始するように構成したことを特徴とする請求項１〜３のいずれか１項に記載の芝刈装置。
【請求項５】
前記当接若しくは近接する位置における前記回転方向前方側の回転刃の刃先部の前記固定刃に対する高さ位置は、前記回転方向後方側の回転刃の前記当接若しくは近接する位置より内方側における刃先部の前記固定刃に対する高さ位置より低い高さに設定したことを特徴とする請求項１〜４のいずれか１項に記載の芝刈装置。
【請求項６】
前記摺合対象移行部を、前記回転刃に一体に設けたことを特徴とする請求項１〜５のいずれか１項に記載の芝刈装置。
【発明の詳細な説明】
【技術分野】
【０００１】
本発明は、芝刈装置に関するものである。
【背景技術】
【０００２】
従来から、例えば特許文献１に開示されるように、芝生を刈るために水平軸回りに回転する複数枚の螺旋状に湾曲した回転刃（リール刃）と、この回転刃に対向する固定刃（受刃）との摺り合わせで芝生を刈る芝刈装置が知られている。この芝刈装置には、車輪の回転力により回転刃を回転させる手動式や、芝刈装置本体に設けた電動機の回転力により回転刃を回転させる電動式等がある。
【０００３】
ところで、このような芝刈装置は、回転刃と固定刃との摺り合わせにより良好な芝刈を行うために固定刃の刃先と回転刃の刃先とを所定の接触力（接触圧力）で接触させる必要がある。例えば、固定刃と回転刃との接触力の調整設定は、使用者が各回転刃に対する固定刃の取り付け位置を適宜調整してボルトで固定したり、固定刃を回転刃側へバネ等を用いて所定の付勢力で予め付勢しておくことで行っている。
【０００４】
しかし、固定刃の取り付け位置の調整は素人には難しい。また、固定刃を回転刃側へ予め付勢しておく場合には固定刃の取り付け位置の調整の手間は軽減されるが、一の回転刃に接触する固定刃が次の回転刃との接触に移る際、次の回転刃の刃先の固定刃に対する高さが前の回転刃と異なると刃先同士が衝突し、刃こぼれを生じたりスムーズな芝刈作業が阻害されるため、製作には極めて高い精度が要求される。
【先行技術文献】
【特許文献】
【０００５】
【特許文献１】登録実用新案第３０３０７６４号公報
【発明の概要】
【発明が解決しようとする課題】
【０００６】
本発明は、上述のような現状に鑑みなされたもので、バネ等を用いて固定刃を回転刃側へ付勢する構成であっても、簡易な構成で回転時の刃先部同士の衝突を良好に抑制することができ、一定の切れ味を長期間維持して常にスムーズに良好な芝刈作業を行える実用性に優れた芝刈装置を提供することを目的としている。
【課題を解決するための手段】
【０００７】
添付図面を参照して本発明の要旨を説明する。
【０００８】
水平軸回りに回転する複数枚の回転刃１と、この回転刃１に対向する固定刃２との摺り合わせで芝生10を刈る芝刈装置において、前記回転刃１と前記固定刃２とを互いに接触する方向に付勢する付勢機構を備え、前記複数枚の回転刃１を、回転方向に平行に配置するのではなく、隣り合う前記回転刃１の長手方向一端部同士及び他端部同士を交互に当接若しくは近接させて、前記回転方向に配設する複数枚の回転刃１を折返し状に配置して、この回転刃１と前記固定刃２との摺り合わせ部位がこの回転刃１の回転によって一端部から他端部へと移り更に隣り合う次の回転刃１の他端部から一端部へと移るように構成し、前記複数の回転刃１の隣り合う前記回転刃１のうち回転方向後方側の回転刃１ｂにして回転方向前方側端部に、回転方向前方側の回転刃１ａにして前記回転方向後方側の回転刃１ｂとの当接若しくは近接する位置Ａより回転方向前方側に突出し、前記固定刃２と前記回転方向後方側の回転刃１ｂの前記当接若しくは近接する位置Ａの刃先部よりも先行接触して、前記固定刃２と摺り合う対象を前記回転方向前方側の回転刃１ａから前記回転方向後方側の回転刃１ｂへと移行させる摺合対象移行部３を設けたことを特徴とする芝刈装置に係るものである。
【０００９】
また、前記摺合対象移行部３の刃先部の突出端部側に、前記固定刃２に対する高さ位置が前記回転方向前方側の回転刃１ａの前記当接若しくは近接する位置Ａの刃先部より低く、前記固定刃２を誘い込む固定刃誘込領域を設け、この固定刃誘込領域の内方側に、前記固定刃２に対する高さ位置が前記回転方向前方側の回転刃１ａの前記当接若しくは近接する位置Ａの刃先部より高く、前記固定刃誘込部に誘い込んだ前記固定刃２と前記回転方向後方側の回転刃１ｂの前記当接若しくは近接する位置Ａの刃先部よりも先行接触する固定刃接触領域を設けたことを特徴とする請求項１記載の芝刈装置に係るものである。
【００１０】
また、前記摺合対象移行部３の刃先部に、この摺合対象移行部３の刃先部の前記固定刃２に対する高さ位置が、突出端部側から内方側に向かって、前記回転方向後方側の回転刃１ｂの前記当接若しくは近接する位置Ａより内方側における刃先部の前記固定刃２に対する高さ位置と略同じ高さ位置まで徐々に高くなる傾斜部４を設け、この傾斜部４を、前記固定刃２が前記回転方向前方側の回転刃１ａにして前記当接若しくは近接する位置Ａに至る前に、前記固定刃２を前記回転方向前方側の回転刃１ａの前記当接若しくは近接する位置Ａの刃先部より高い位置まで摺り上げる傾斜度合いに設定したことを特徴とする請求項１，２のいずれか１項に記載の芝刈装置に係るものである。
【００１１】
また、前記摺合対象移行部３において固定刃２と先行接触を開始した前記当接若しくは近接する位置Ａより外方側の刃先部から前記固定刃２の刃先部との摺り合わせによる芝生10の切断を開始するように構成したことを特徴とする請求項１〜３のいずれか１項に記載の芝刈装置に係るものである。
【００１２】
また、前記当接若しくは近接する位置Ａにおける前記回転方向前方側の回転刃１ａの刃先部の前記固定刃２に対する高さ位置は、前記回転方向後方側の回転刃１ｂの前記当接若しくは近接する位置Ａより内方側における刃先部の前記固定刃２に対する高さ位置より低い高さに設定したことを特徴とする請求項１〜４のいずれか１項に記載の芝刈装置に係るものである。
【００１３】
また、前記摺合対象移行部３を、前記回転刃１に一体に設けたことを特徴とする請求項１〜５のいずれか１項に記載の芝刈装置に係るものである。
【発明の効果】
【００１４】
本発明は上述のように構成したから、バネ等を用いて固定刃を回転刃側へ付勢する構成であっても、簡易な構成で回転時の刃先部同士の衝突を良好に抑制することができ、一定の切れ味を長期間維持して常にスムーズに良好な芝刈作業を行える実用性に優れた芝刈装置となる。
【図面の簡単な説明】
【００１５】
【図１】本実施例の概略説明側面図である。
【図２】本実施例の回転刃の拡大概略説明図である。
【図３】本実施例の回転刃の要部の概略説明図である。
【図４】別例の回転刃の要部の概略説明図である。
【図５】本実施例の回転刃及び固定刃の概略説明図である。
【発明を実施するための形態】
【００１６】
好適と考える本発明の実施形態を、図面に基づいて本発明の作用を示して簡単に説明する。
【００１７】
回転刃１を回転させ、回転刃１の刃先部と固定刃２の刃先部とを摺り合わせてこの回転刃１及び固定刃２間の芝生10を切断する。
【００１８】
ここで、固定刃２が、折返し状に配置した隣り合う回転刃１のうち回転方向前方側の回転刃１ａから回転方向後方側の回転刃１ｂへの接触に移る際、回転方向後方側の回転刃１ｂの回転方向前方側端部に設けた摺合対象移行部３から回転方向後方側の回転刃１ｂに接触する。
【００１９】
即ち、固定刃２を、前記回転方向後方側の回転刃１ｂの前記当接若しくは近接する位置Ａの刃先部より先に摺合対象移行部３に先行接触させ、固定刃２と回転方向前方側の回転刃１ａとの接触を解除することで、固定刃２が摺り合う対象を回転方向前方側の回転刃１ａから回転方向後方側の回転刃１ｂへと移行させる。
【００２０】
ここで、摺合対象移行部３が存在せず、回転方向前方側の回転刃１ａと回転方向後方側の回転刃１ｂとの当接若しくは近接する位置Ａから回転方向後方側の回転刃１ｂとの接触に移る場合、両者の固定刃２に対する高さが異なる場合には次のような問題が生じる。
【００２１】
即ち、前記当接若しくは近接する位置Ａにおいて回転方向前方側の回転刃１ａの刃先部が低い場合、固定刃２の刃先部と回転方向後方側の回転刃１ｂの刃先部とが衝突し、刃こぼれ等が生じる場合がある。また、回転方向後方側の回転刃１ｂの刃先部が低い場合、固定刃２と回転方向前方側の回転刃１ａとの接触が終わると、固定刃２の刃先部が回転方向後方側の回転刃１ｂの刃先部上に落ち込んで衝突し、刃こぼれ等が生じる場合がある。
【００２２】
従って、摺合対象移行部３が存在せず前記当接若しくは近接する位置Ａから回転方向後方側の回転刃１ｂとの接触に移る構成においては、前記当接若しくは近接する位置Ａにおける回転方向前方側の回転刃１ａの刃先部の前記固定刃２に対する高さ位置を、回転方向後方側の回転刃１ｂの前記中央部の刃先部と一致させる必要があり、製作には極めて高い精度が要求されることになる。
【００２３】
この点、本発明によれば、例えば、前記当接若しくは近接する位置Ａにおける回転方向前方側の回転刃１ａの刃先部の前記固定刃２に対する高さ位置を、回転方向後方側の回転刃１ｂの前記中央部の刃先部と一致させず、予め回転方向後方側の回転刃１ｂの前記中央部の刃先部より低い高さにしても、前記当接若しくは近接する位置Ａにおける回転方向前方側の回転刃１ａの刃先部の前記固定刃２に対する高さ位置が前記摺合対象移行部３より低くなった部分からは、この摺合対象移行部３と固定刃２とが接触して次の回転刃１ｂとの摺り合わせが開始することになり、前記当接若しくは近接する位置Ａにおける高さを精密に一致させずとも、即ち、前記当接若しくは近接する位置Ａに多少段差があっても、回転方向後方側の回転刃１ｂの前記当接若しくは近接する位置Ａの刃先部に固定刃２の刃先部を衝突させることなく固定刃と複数の回転刃とを連続的に摺り合わせることが可能となる。
【００２４】
例えば、前記摺合対象移行部３の刃先部の突出端部側に、前記固定刃２に対する高さ位置が前記回転方向前方側の回転刃１ａの前記当接若しくは近接する位置Ａの刃先部より低く、前記固定刃２と接触せずに摺合対象移行部３上に固定刃２を誘い込む固定刃誘込領域を設け、この固定刃誘込領域の内方側に、前記固定刃２に対する高さ位置が前記回転方向前方側の回転刃１ａの前記当接若しくは近接する位置Ａの刃先部より高く、前記固定刃誘込部により摺合対象移行部３上に誘い込んだ前記固定刃２と前記回転方向後方側の回転刃１ｂの前記当接若しくは近接する位置Ａの刃先部よりも先行接触する固定刃接触領域を設けることで、前記当接若しくは近接する位置Ａにおける回転刃１の刃先部の高さを多少ラフに形成しても、摺り合い対象を移行する際の衝突やガタつきを防止できることになり、しかも、衝突等を防止できる構成を簡易構造でコスト安に実現可能となる。
【００２５】
また、摺合対象移行部３を回転方向後方側の回転刃１ｂにして回転方向前方側端部に、回転方向前方側の回転刃１ａにして前記回転方向後方側の回転刃１ｂとの当接若しくは近接する位置Ａより回転方向前方側に突出させて設けることで、前記摺合対象移行部３において固定刃２と先行接触を開始した前記当接若しくは近接する位置Ａより外方側の刃先部から前記固定刃２の刃先部との摺り合わせによる芝生10の切断を開始することができ、前記当接若しくは近接する位置Ａより外方側位置から切断領域を設けることが可能となる。
【００２６】
また、摺合対象移行部３は回転刃１の一部を利用して簡単に設けることができ、例えば上記特許文献１に開示されるような常に固定刃２を受ける噛込み防止ガイドのような別部材が不要で、それだけ製作容易でコスト安な構成となる。
【００２７】
よって、本発明によれば、固定刃２はいずれかの回転刃１ａ・１ｂと常に接触し、しかも、隣り合う回転刃１ａ・１ｂの前記当接若しくは近接する位置Ａにおける固定刃２に対する高さ位置を一致させずとも（多少高さに違いがあっても）、接触する回転刃１ａ・１ｂが切り替わる際に刃先部同士の衝突が生じることがなく、また、切断領域も十分確保でき、刃こぼれや引っ掛かりを防止でき一定の切れ味を長期間維持して常にスムーズに良好な芝刈作業を行えることになる。
【実施例】
【００２８】
本発明の具体的な実施例について図面に基づいて説明する。
【００２９】
本実施例は、水平軸回りに回転する複数枚の螺旋状に湾曲した回転刃１と、この回転刃１に対向する固定刃２との摺り合わせで芝生10を刈る芝刈装置であって、金属製の左右一対の板状のフレーム本体５に回転可能に支持される軸体６の両端部に夫々設けられる左右一対の車輪７と、手押し用の把持杆８とを有し、回転刃１に前記車輪７の回転力を適宜な歯車機構を介して伝達する手動式の芝刈装置である。
【００３０】
具体的には、図１に図示したように、各車輪７の内面側に夫々設けた内歯車９に夫々噛合する小歯車11が両端部に設けられ前記フレーム本体５に回転可能に支持される金属製の回転軸12の周囲に回転刃１が設けられている。
【００３１】
回転軸12には、その軸方向に所定間隔で回転刃１を支持する円盤状の連結体13が溶接接合により複数（本実施例では３つ）固定されており、この円盤状の連結体13の外周位置に前記回転刃１が溶接接合により夫々固定されている（図２参照）。従って、車輪７の回転に応じて回転軸12が回転し、この回転軸12と一体に回転刃１が回転する。
【００３２】
また、回転刃１には、ねじれ方向に沿って切れ刃が設けられている。具体的には、回転刃１の回転方向前方側を向くすくい面と所定角度で逃げる先端逃げ面との交差稜線部に切れ刃が設けられている。回転刃１の切れ刃は、両端の一部（一端側の摺合対象移行部３及び他端側の当接若しくは近接する位置Ａ近傍部）を除く中央部全域で、固定刃２に対する高さが一定となるように構成している。なお、切断に寄与しない等の不要部分の切れ刃は研磨等で落としても良い（即ち、切れ刃がない部分でも回転刃１の先端部分であれば後述する刃先部の概念に含まれる。）。
【００３３】
また、フレーム本体５には、回転刃１と対向接触する薄板状の固定刃２と、この固定刃２が取り付けられる取付体19と、この取付体19を回動自在に支持する回動軸14と、固定刃２を所定の接触力で回転刃１に接触するように取付体19を引張付勢するバネ体15とを設けている。固定刃２には、回転軸12と平行な直線状の切れ刃が設けられている。具体的には、固定刃２の上面と所定角度で逃げる先端逃げ面との交差稜線部に切れ刃が設けられている。
【００３４】
図中、16は切断された芝生10を進行方向側に案内するカバー体、17は切断された芝生10を収納するフレーム本体５に着脱自在に設けられる収納篭、18は回転刃１及び固定刃２の切断高さ位置調整用の補助輪である。
【００３５】
従って、把持杆８を把持して押動して車輪７を回転させることで回転刃１を回転させると、回転刃１と固定刃２の切れ刃同士が摺り合って挟まれた芝生10が補助輪18等で設定された所定の長さに切断されることになる。
【００３６】
また、本実施例においては、螺旋状に湾曲した（所定の方向にねじられた）複数枚の回転刃１を、回転方向に平行に配置するのではなく、隣り合う前記回転刃１の長手方向一端部同士及び他端部同士を交互に当接させて折返し状に配置して、この回転刃１と前記固定刃２との摺り合わせ部位がこの回転刃１の回転によって一端部から他端部へと移り更に隣り合う次の回転刃１の他端部から一端部へと移るように構成している。また、隣り合う回転刃１のねじれ方向は反対方向となるように交互に配置している。なお、隣り合う回転刃１同士を当接（接触状態で固定）させずに、若干の隙間を介した近接状態で固定する構成としても良い。
【００３７】
本実施例は、前記複数の回転刃１の隣り合う前記回転刃１のうち回転方向後方側の回転刃１ｂにして回転方向前方側端部に、回転方向前方側の回転刃１ａにして前記回転方向後方側の回転刃１ｂとの当接若しくは近接する位置Ａより回転方向前方側に突出し、前記固定刃２と前記回転方向後方側の回転刃１ｂの前記当接若しくは近接する位置Ａの刃先部よりも先行接触して、前記固定刃２と摺り合う対象を前記回転方向前方側の回転刃１ａから前記回転方向後方側の回転刃１ｂへと移行させる摺合対象移行部３を設けている。
【００３８】
具体的には、回転方向前方側の回転刃１ａの回転方向後方側端部を、ｙ字状をなすように回転方向後方側の回転刃１ｂの途中部に当接若しくは近接させ、この回転方向後方側の回転刃１ｂの前記回転方向前方側の回転刃１ａと当接若しくは近接する位置Ａより外方側の部分を摺合対象移行部３に設定している。即ち、摺合対象移行部３は回転刃１に一体に設けた（回転刃１から延設した）構成としている。
【００３９】
また、本実施例においては、前記摺合対象移行部３の刃先部の突出端部側に、前記固定刃２に対する高さ位置が前記回転方向前方側の回転刃１ａの前記当接若しくは近接する位置Ａの刃先部より低く、前記固定刃２を誘い込む固定刃誘込領域を設け、この固定刃誘込領域の内方側に、前記固定刃２に対する高さ位置が前記回転方向前方側の回転刃１ａの前記当接若しくは近接する位置Ａの刃先部より高く、前記固定刃誘込部に誘い込んだ前記固定刃２と前記回転方向後方側の回転刃１ｂの前記当接若しくは近接する位置Ａの刃先部よりも先行接触する固定刃接触領域を設けている。
【００４０】
また、本実施例においては、前記当接若しくは近接する位置Ａにおける前記回転方向前方側の回転刃１ａの刃先部の前記固定刃２に対する高さ位置は、前記回転方向後方側の回転刃１ｂの前記当接若しくは近接する位置Ａより内方側の中央部における刃先部の前記固定刃２に対する高さ位置より低い高さに設定している。
【００４１】
本実施例においては、図３に図示したように、前記回転方向前方側の回転刃１ａの前記当接若しくは近接する位置Ａ近傍部の刃先部を面取りして若干固定刃２に対する高さ位置を低く設定している。具体的には、前記回転方向前方側の回転刃１ａの前記当接若しくは近接する位置Ａ近傍部は、回転方向後方側の回転刃１ｂに近づくほど固定刃２に対する高さが徐々に低くなる傾斜部20に設定している。
【００４２】
なお、図４に図示した別例のように、傾斜部20を設けず、前記当接若しくは近接する位置Ａにおける前記回転方向前方側の回転刃１ａの刃先部の前記固定刃２に対する高さ位置は、前記回転方向後方側の回転刃１ｂの前記当接若しくは近接する位置Ａより内方側の中央部における刃先部の前記固定刃２に対する高さ位置と一致させる構成としても良い。
【００４３】
更に、本実施例においては、前記摺合対象移行部３の刃先部に、この摺合対象移行部３の刃先部の前記固定刃２に対する高さ位置が、突出端部側から内方側に向かって、前記回転方向後方側の回転刃１ｂの前記当接若しくは近接する位置Ａより内方側の中央部における刃先部の前記固定刃２に対する高さ位置と略同じ高さ位置まで徐々に高くなる傾斜部４を設けている。
【００４４】
また、本実施例においては、前記当接若しくは近接する位置Ａの段差に前記固定刃２が引っかからないように、前記固定刃２が前記当接若しくは近接する位置Ａに至る前に、固定刃２を前記摺合対象移行部３により前記回転方向後方側の回転刃１ｂの前記当接若しくは近接する位置Ａより内方側の中央部における刃先部の前記固定刃２に対する高さ位置と同じ位置まで摺り上げるように前記摺合対象移行部３の傾斜部４の傾斜度合いを設定している。
【００４５】
具体的には、固定刃２の刃先部の延設方向において、回転方向前方側の回転刃１ａの前記当接若しくは近接する位置Ａ近傍部において前記固定刃２に対する高さ位置が中央部より低くなり始めると同時に、摺合対象移行部３の刃先部が傾斜部４により前記回転方向前方側の回転刃１ａの前記当接若しくは近接する位置Ａにおける刃先部の前記固定刃２に対する高さ位置より高くなるように各部の傾斜開始位置や傾斜度合い等を設定している。即ち、摺合対象移行部３の傾斜部４において、回転方向前方側の回転刃１ａの前記当接若しくは近接する位置Ａ近傍部より固定刃２に対する高さ位置が低い部分が前記固定刃誘込領域となり、高い部分が前記固定刃接触領域となる。
【００４６】
また、芝生10を良好に切断できる領域を確保するために、摺合対象移行部３の傾斜部４及び回転方向前方側の回転刃１ａの前記当接若しくは近接する位置Ａ近傍部の傾斜部20（上述の中央部以外の部分）は、夫々回転刃１の全長の３〜１０％程度の小範囲に形成するのが好ましい。
【００４７】
以上の構成により、固定刃２はスムーズに回転方向前方側の回転刃１ａから回転方向後方側の回転刃１ｂへの接触に移行する。
【００４８】
即ち、固定刃２は回転方向前方側の回転刃１ａの中央部の刃先部と摺り合い芝生10を切断しながら、回転方向後方側の回転刃１ｂの摺合対象移行部３の固定刃誘込領域上へと誘い込まれる（図５（ａ）→（ｂ））。ここではまだ固定刃２は摺合対象移行部３に接触していない。続いて、回転方向前方側の回転刃１ａの前記当接若しくは近接する位置Ａに近づいて、回転方向前方側の回転刃１ａの刃先部の固定刃２に対する高さ位置が、（徐々に高くなる）摺合対象移行部３の刃先部より低くなると（固定刃接触領域に入ると）、固定刃２は摺合対象移行部３側に接触して回転方向前方側の回転刃１ａの刃先部と接触しなくなり、固定刃２は摺合対象移行部３の傾斜部４を摺り上がって回転方向後方側の回転刃１ｂの中央部の刃先部に至る（図５（ｂ）→（ｃ））。この動きを繰り返して良好な芝刈が連続的に行われることになる。
【００４９】
よって、本実施例は、固定刃２を回転刃１側へ付勢する構成であっても、簡易な構成で回転時の刃先部同士の衝突を良好に抑制することができ、刃こぼれや引っ掛かりを防止でき一定の切れ味を長期間維持して常にスムーズに良好な芝刈作業を行えるものとなる。
【００５０】
なお、本発明は、本実施例に限られるものではなく、各構成要件の具体的構成は適宜設計し得るものである。
【符号の説明】
【００５１】
１  回転刃
１ａ  回転方向前方側の回転刃
１ｂ  回転方向後方側の回転刃
２  固定刃
３  摺合対象移行部
４  傾斜部
５  転動体
10  芝生
Ａ  回転刃１ａと回転刃１ｂとが当接若しくは近接する位置
【図１】
0006046067.tif 000002
【図２】
0006046067.tif 000003
【図３】
0006046067.tif 000004
【図４】
0006046067.tif 000005
【図５】
0006046067.tif 000006